(57)【要約】【課題】テーマパーク等の施設において定点カメラにより入場者を撮影するに際し、カメラの撮影動作が間に合わなくなることを防止し、さらに撮影領域内の人物数に応じた撮影を行うことができるようにする。【解決手段】テーマパーク内の撮影システム１Ａにおいて被写体ユーザＵ０を撮影して画像データＳ１を取得する。この際、ゲート１１Ａ，１１Ｂによりエリア１９内への入場者数をカウントし、そのカウント数に応じて撮影デバイス１４により自動撮影を行うか、マニュアル撮影を行うかを切り替える。また、広域センサ１２が被写体ユーザＵ０が所持する無線タグ３０から信号を受信すると、撮影デバイス１４が撮影可能な状態に設定され、被写体ユーザＵ０が撮影エリア５Ａ内に侵入すると、直ちに被写体ユーザＵ０の撮影を行う。【選択図】          図２
2004289433.tif 000002
【特許請求の範囲】
【請求項１】
第１の領域内に存在する人物が所持する通信手段から送信される該人物を特定する識別情報を受信することにより、該人物が前記第１の領域内に存在することを検出する第１の検出手段と、
前記第１の領域を含み、該第１の領域よりも広い第２の領域内に存在する人物が所持する前記通信手段から送信される該人物を特定する識別情報を受信することにより、該人物が前記第２の領域内に存在することを検出する第２の検出手段と、
前記第２の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記第２の検出手段が前記人物を検出すると、前記撮影手段を撮影可能な待機状態に設定するとともに、前記カウント手段がカウントした人物数に応じて、前記撮影手段の撮影動作を制御する撮影制御手段とを備えたことを特徴とする撮影システム。
【請求項２】
第１の領域内に存在する人物が所持する通信手段から送信される該人物を特定する識別情報を受信することにより、該人物が前記第１の領域内に存在することを検出する第１の検出手段と、
前記第１の領域を含み、該第１の領域よりも広い第２の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記カウント手段がカウントした人物数に応じて、前記撮影手段の撮影動作を制御する撮影制御手段とを備えたことを特徴とする撮影システム。
【請求項３】
第１の領域内に存在する人物が所持する通信手段から送信される該人物を特定する識別情報を受信することにより、該人物が前記第１の領域内に存在することを検出する第１の検出手段と、
前記第１の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記カウント手段がカウントした人物数に応じて、前記撮影手段の撮影動作を制御する撮影制御手段とを備えたことを特徴とする撮影システム。
【発明の詳細な説明】
【０００１】
【発明の属する技術分野】
本発明は、テーマパーク等において定点に設置されたカメラにより被写体である人物の画像を撮影する撮影システムに関するものである。
【０００２】
【従来の技術】
近年、テーマパーク等において、アトラクション内に定点カメラを設置して入場者を被写体として撮影を行い、撮影により得られた画像データをプリント出力して得られたプリントを入場者に渡すというプリントシステムが提案されている。このようなプリントシステムにおいては、アトラクション毎に入場者にプリントが渡されるため、入場者はプリントが出来上がるまでアトラクション毎に待つ煩わしさがある。
【０００３】
このため、入場者である人物を特定するためのＩＤ情報を記録した無線ＩＣカードのような無線タグを入場者に渡し、テーマパーク内に複数設置された定点カメラにより撮影を行う撮影システムが提案されている（特許文献１参照）。この撮影システムにおいては、撮影時にＩＤ情報を無線タグから定点カメラとともに設置された通信装置に送信し、撮影により得られた画像データとＩＤ情報とを関連付けて画像サーバに保管している。このため、入場者である人物は後日画像サーバにアクセスし、ＩＤ情報に基づいて画像データを検索することにより、テーマパーク内において得られた自身の画像をまとめて参照することができ、これにより、アトラクション毎にプリントの受け取りを待つという入場者の煩わしさを低減することができる。また、特許文献１に記載されたシステムにおいては、入場者が無線タグを操作することにより、定点カメラを操作して定点カメラの方を向いた自身の画像の撮影を行うことも可能である。
【０００４】
【特許文献１】
特開２００１−１７７７５０号公報
【０００５】
【発明が解決しようとする課題】
上記撮影システムにおいては、定点カメラが撮影可能な領域（撮影領域）内に、無線タグを所持する入場者が存在する場合にその入場者の撮影が行われるが、突然撮影領域内に入場者が侵入してきた場合には、撮影動作が間に合わない場合がある。また、撮影領域内に無線タグを所持する入場者が多数いる場合には撮影を行っても、どの入場者の撮影を行ったかが分からない場合がある。
【０００６】
本発明は上記事情に鑑みなされたものであり、撮影動作が間に合わなくなることを防止することを目的とする。
【０００７】
また、撮影領域内の人物数に応じた撮影を行うことができるようにすることを目的とする。
【０００８】
【課題を解決するための手段】
本発明による第１の撮影システムは、第１の領域内に存在する人物が所持する通信手段から送信される該人物を特定する識別情報を受信することにより、該人物が前記第１の領域内に存在することを検出する第１の検出手段と、
前記第１の領域を含み、該第１の領域よりも広い第２の領域内に存在する人物が所持する前記通信手段から送信される該人物を特定する識別情報を受信することにより、該人物が前記第２の領域内に存在することを検出する第２の検出手段と、
前記第２の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記第２の検出手段が前記人物を検出すると、前記撮影手段を撮影可能な待機状態に設定するとともに、前記カウント手段がカウントした人物数に応じて、前記撮影手段の撮影動作を制御する撮影制御手段とを備えたことを特徴とするものである。
【０００９】
本発明による第２の撮影システムは、第１の領域内に存在する人物が所持する通信手段から送信される該人物を特定する識別情報を受信することにより、該人物が前記第１の領域内に存在することを検出する第１の検出手段と、
前記第１の領域を含み、該第１の領域よりも広い第２の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記カウント手段がカウントした人物数に応じて、前記撮影手段の撮影動作を制御する撮影制御手段とを備えたことを特徴とするものである。
【００１０】
本発明による第３の撮影システムは、第１の領域内に存在する人物が所持する通信手段から送信される該人物を特定する識別情報を受信することにより、該人物が前記第１の領域内に存在することを検出する第１の検出手段と、
前記第１の領域内へ侵入する前記通信手段を所持する人物および該通信手段を所持しない人物の双方をカウントするカウント手段と、
前記第１の領域を撮影範囲として、該第１の領域に存在する人物の画像を撮影する撮影手段と、
前記カウント手段がカウントした人物数に応じて、前記撮影手段の撮影動作を制御する撮影制御手段とを備えたことを特徴とするものである。
【００１１】
「撮影動作の制御」としては、人物数が所定のしきい値以上となったら撮影を一時的に中止する、識別情報に基づいて撮影しようとする人物を特定して、音声により名前を呼ぶなどして撮影しようとする人物に撮影する旨を伝える等することをいう。
【００１２】
通信手段としては、長距離型（交信範囲数メートル程度）の無線タグ（ＲＦＩＤ  ：  Ｒａｄｉｏ  Ｆｒｅｑｕｅｎｃｙ  ＩＤｅｎｔｉｆｉｃａｔｉｏｎ）とその受信アンテナを利用することが考えられる。
【００１３】
【発明の効果】
本発明によれば、撮影制御手段は、第２の検出手段が識別情報を受信することにより人物を検出すると、撮影手段を撮影可能な待機状態に設定するため、第１の検出手段が人物を検出すると、撮影手段は直ちに人物を撮影することができる。したがって、人物が第１の領域に突然侵入しても撮影が間に合わなくなることがなくなる。
【００１４】
また、撮影制御手段は、カウント手段がカウントした人物数に応じて撮影手段の撮影動作を制御するため、第１の領域内に存在する可能性が高い人物数に応じて適切に撮影を行うことができる。
【００１５】
【発明の実施の形態】
以下図面を参照して本発明の実施形態について説明する。図１は本発明の実施形態による撮影システムを備えた画像管理システムの構成を示す概略ブロック図である。図１に示すように、本実施形態による画像管理システムは、テーマパーク内に設置されるものであり、テーマパーク内に設置されてテーマパークの入場者である人物（以下被写体ユーザＵ０とする）を被写体として撮影を行って被写体の画像を表す画像データＳ１を取得する複数（ここでは３つ）の撮影システム１Ａ，１Ｂ，１Ｃと、撮影システム１Ａ，１Ｂ，１Ｃとネットワーク３を介して接続された画像保管サーバ４とを備える。なお、画像保管サーバ４は、被写体ユーザＵ０が所持するパソコン、携帯電話およびＰＤＡ等の端末装置６並びに画像データＳ１のプリント出力、アルバムの作成およびＣＤ−Ｒへの記録等を行うラボ８とネットワーク３を介して接続されている。また、画像保管サーバ４には、後述する無線タグ３０に記憶されたユーザＩＤと、ユーザの氏名、住所等のユーザ情報とが対応付けられて記憶されている。
【００１６】
被写体ユーザＵ０はデジタルカメラ１０および無線タグ３０（通信手段）を所持し、テーマパーク内を移動することにより、撮影システム１Ａ，１Ｂ，１Ｃにより撮影される。
【００１７】
なお、無線タグ３０はテーマパークへの入場時に被写体ユーザＵ０に渡される。
【００１８】
図２は撮影システムの構成を示す概略斜視図である。なお、撮影システム１Ａ，１Ｂ，１Ｃの構成は同一であるため、ここでは撮影システム１Ａについてのみ説明する。図２に示すように撮影システム１Ａは、テーマパーク内の撮影エリア５Ａ内に存在する被写体ユーザＵ０の撮影を行うものであり、エリア１９に入場する入場者数をカウントするためのゲート（カウント手段）１１Ａ，１１Ｂと、ゲート１１Ａ，１１Ｂの間のエリア（第２の領域）１９に存在する無線タグ３０を所持する被写体ユーザＵ０の数をカウントする広域センサ（第２の検出手段）１２と、撮影エリア（第１の領域）５Ａ内に存在する無線タグ３０を所持する被写体ユーザＵ０と通信を行う通信デバイス（第１の検出手段）１３と、被写体ユーザＵ０の撮影を行う撮影デバイス１４と、被写体ユーザＵ０への撮影指示や撮影デバイス１４が取得した画像データＳ１の表示等を行う表示器１５と、撮影デバイス１４により被写体ユーザＵ０を捕捉するために、撮影エリア５Ａ内に存在する被写体ユーザＵ０を検出するための赤外線センサや超音波センサからなる人物センサ１６Ａ，１６Ｂとを備える。
【００１９】
ゲート１１Ａ，１１Ｂはエリア１９に入場する入場者数を無線タグ３０の所持、不所持に拘わらずカウントするためのものであり、カウント数は例えば画像保管サーバ４とともに設置された不図示のテーマパークのシステムに入力され、エリア１９に入場した入場者数の把握に用いられる。また、カウント数は入場者数を表す情報として撮影デバイス１４にも入力され、撮影動作の制御に用いられる。
【００２０】
なお、ゲート１１Ａ，１１Ｂとしては、電光管により人物の数をカウントするもの、回転可能な遮断バーを設け、遮断バーを回転させることにより人物を通過させて人物数をカウントするもの等、人物の数をカウントすることができる任意の構成を有するものを用いることができる。
【００２１】
広域センサ１２は、エリア１９内に存在する無線タグ３０を所持する被写体ユーザＵ０を検出する。図３は広域センサ１２の構成を示す概略ブロック図である。図３に示すように、広域センサ１２は、問い合わせ情報を表す問い合わせ信号を所定間隔で発信するとともに、無線タグ３０からの問い合わせ信号に対する返信信号を受信する通信部１２Ａと、返信信号を受信した旨を表す信号、返信信号により表される返信情報を撮影デバイス１４に出力する出力部１２Ｂとを備える。
【００２２】
通信デバイス１３は、撮影エリア５Ａに存在する無線タグ３０を所持する被写体ユーザＵ０と通信を行う。図４は通信デバイス１３の構成を示す概略ブロック図である。図４に示すように、通信デバイス１３は、問い合わせ情報を表す問い合わせ信号を所定間隔で発信するとともに、無線タグ３０からの問い合わせ信号に対する返信信号、さらには無線タグ３０から送信される撮影指示信号を受信する通信部１３Ａと、通信部１３Ａが受信した返信信号により表される返信情報を撮影デバイス１４に出力する出力部１３Ｂとを備える。
【００２３】
ここで、無線タグ３０が送信する返信信号により表される返信情報は、被写体ユーザＵ０を特定するユーザＩＤを含む。ユーザＩＤは被写体ユーザＵ０に固有の番号であり、予め無線タグ３０に記憶された番号をユーザＩＤとして用いてもよく、無線タグ３０を被写体ユーザＵ０に渡す際に、その被写体ユーザＵ０が所望とする番号や記号をユーザＩＤとして無線タグ３０に記憶してもよい。
【００２４】
図５は撮影デバイスの構成を示す概略ブロック図である。図５に示すように撮影デバイス１４は、デジタルカメラからなり、撮影により画像データＳ１を取得する撮影部１４Ａと、画像データＳ１を一時的に記憶する第１のメモリ１４Ｂと、ゲート１１Ａ，１１Ｂ、広域センサ１２、通信デバイス１３、表示器１５および人物センサ１６Ａ，１６Ｂと信号の送受信を行う送受信部１４Ｃと、撮影デバイス１４の駆動を制御する制御部１４Ｄと、制御プログラムや種々の情報を記憶する第２のメモリ１４Ｅと、撮影部１４Ａのパンおよびチルトを行う駆動部１４Ｆと、ネットワーク３に接続された通信部１４Ｇとを備える。
【００２５】
撮影デバイス１４においては、広域センサ１２が撮影デバイス１４に送信した、広域センサ１２が返信信号を受信した旨を表す情報に基づいて、制御部１４Ｄが撮影部１４Ａを直ちに撮影可能な待機状態に設定する。具体的には、撮影部１４Ａの電源がオフである場合や小電力化のためのスリープ状態となっている場合には電源をオンとしたり、スリープ状態を解除する。なお、既に撮影部１４Ａの電源がオンとなっている場合や既にスリープ状態が解除されている場合には、その状態を維持する。
【００２６】
また、撮影デバイス１４は、ゲート１１Ａ，１１Ｂがカウントしたエリア１９内への入場者数を表す情報に基づいてエリア１９内への入場者数を把握して撮影モードを切り替える。具体的には、制御部１４Ｄがエリア１９内への入場者数をしきい値Ｔｈ１と比較し、しきい値Ｔｈ１未満であって自動撮影に適した状態にある場合には撮影部１４Ａの撮影モードを自動撮影に切り替える。なお、入場者数がしきい値Ｔｈ１以上となって撮影のために１つの被写体ユーザＵ０を特定することが困難となった場合には、制御部１４Ｄが撮影を一時的に中止するように撮影部１４Ａの撮影モードを切り替える。
【００２７】
なお、入場者数がしきい値Ｔｈ１以上となった場合には、撮影エリア５Ａ内に無線タグ３０を所持する被写体ユーザＵ０が複数存在する可能性があり、１つの被写体ユーザＵ０を特定することが困難であるため、被写体ユーザＵ０が無線タグ３０を操作することによって撮影を行うマニュアル撮影モードに撮影モードを切り替えてもよい。この場合、撮影デバイス１４は、撮影時に被写体ユーザＵ０に撮影を行わせる指示を指示信号として表示器１５に送信する。また、無線タグ３０から送信された返信信号により表される返信情報にはユーザＩＤが含まれるため、ユーザＩＤに基づいて撮影しようとする被写体ユーザＵ０に表示器１５から呼びかけて撮影を行う撮影モード、あるいは撮影しようとする被写体ユーザＵ０以外は撮影エリア５Ａから退出する旨を通知してから撮影を行う撮影モードに切り替えてもよい。本実施形態においては、マニュアル撮影モードに切り替えるものとして説明する。なお、マニュアル撮影モード時に被写体ユーザＵ０に対して撮影を行うことを呼びかけるようにしてもよい。
【００２８】
ここで、マニュアル撮影モードおよび被写体ユーザＵ０に呼びかけて撮影を行う撮影モードにおいては、撮影される被写体ユーザＵ０に自身が撮影されることを知らせる必要がある。このため、制御部１４Ｄは画像保管サーバ４にアクセスして、返信情報に含まれるユーザＩＤに基づいて後述するユーザデータベースを参照してユーザの氏名を表す情報を取得して表示器１５に送信し、後述するように表示器１５に撮影しようとする被写体ユーザＵ０の氏名の呼びかけを行わせる。
【００２９】
また、撮影デバイス１４は、通信デバイス１３が送信した返信信号により表される返信情報および撮影により取得した画像データＳ１を通信部１４Ｇから画像保管サーバ４に送信する。なお、撮影により取得した画像データＳ１を表示器１５に送信して表示器１５に表示するようにしてもよい。
【００３０】
さらに、撮影デバイス１４は、人物センサ１６Ａ，１６Ｂから送信された信号に基づいて撮影エリア５Ａ内の被写体ユーザＵ０の位置を把握し、駆動部１４Ｆを駆動して撮影部１４Ａの画角内に被写体ユーザＵ０が入るように撮影部１４Ａのパンおよびチルトを行う。
【００３１】
ここで、撮影デバイス１４が取得した画像データＳ１は、通信デバイス１３が送信した返信信号により表される返信情報、撮影日時を表す撮影日時情報、および撮影システム１Ａの設置場所を表す設置場所情報とともに、画像保管サーバ４に送信される。なお、返信情報、撮影日時情報および設置場所情報は画像データＳ１とは別ファイルとして画像保管サーバ４に送信してもよく、画像データＳ１のタグに記述して画像データＳ１とともに画像保管サーバ４に送信してもよい。本実施形態においては、返信情報、撮影日時情報および設置場所情報は画像データＳ１のタグに記述されるものとする。
【００３２】
図６は表示器の構成を示す概略ブロック図である。図６に示すように表示器１５は、撮影デバイス１４から送信される種々の指示を表す指示信号および画像データＳ１を受信する受信部１５Ａと、画像データＳ１や種々の情報を表示するモニタ１５Ｂと、指示信号に基づいて被写体ユーザＵ０に撮影の指示等を行うための音声を出力するスピーカ１５Ｃとを備える。
【００３３】
ここで、上述したように撮影デバイス１４において設定された撮影モードが、マニュアル撮影モードおよび被写体ユーザＵ０に呼びかけてから撮影を行うモードである場合のように、被写体ユーザＵ０に呼びかけを行う場合には、その旨が撮影デバイス１４から指示され、「○○くん、これから撮影するよ」、「××ちゃん、撮影ボタンを押してね」等のように、被写体ユーザＵ０を特定した音声を出力する。
【００３４】
人物センサ１６Ａ，１６Ｂは、撮影エリア５Ａ内の被写体ユーザＵ０の位置を検出し、被写体ユーザＵ０の位置を表す位置信号を、パンおよびチルトに用いるために撮影デバイス１４に送信する。なお、図２においては２つの人物センサ１６Ａ，１６Ｂを設けているが、３以上の人物センサを設けて被写体ユーザＵ０の位置の検出精度を向上させてもよい。
【００３５】
図７は画像保管サーバの構成を示す概略ブロック図である。図７に示すように画像保管サーバ４は、撮影システム１Ａ，１Ｂ，１Ｃ、被写体ユーザＵ０が所持する端末装置６およびラボ８とネットワーク３を介しての通信を行う通信部４１と、画像データＳ１、検索用のデータベースＤＢ１、画像保管サーバ４の制御プログラム、ユーザＩＤとユーザ情報とを対応付けたユーザデータベースＤＢ２等の種々の情報を記憶する大容量のメモリ４２と、メモリ４２に記憶されるデータベースＤＢ１を生成することにより、メモリ４２に記憶された画像データＳ１の管理を行う管理部４３と、画像保管サーバ４の駆動を制御する制御部４４とを備える。
【００３６】
管理部４３は、撮影システム１Ａ，１Ｂ，１Ｃが送信した画像データＳ１のタグに記述された情報（タグ情報）からデータベースＤＢ１を生成する。ここで、画像データＳ１のタグ情報には、画像データＳ１のファイル名、返信情報により表される被写体ユーザＵ０のユーザＩＤ、撮影日時情報、設置場所情報、カメラＩＤおよび撮影情報が含まれる。
【００３７】
なお、撮影情報には、撮影時におけるストロボの有無、ズーム倍率、パンおよびチルトの量が含まれる。
【００３８】
そして、管理部４３は、画像データＳ１に付与されたタグ情報に含まれる被写体ユーザＵ０のユーザＩＤに基づいて、被写体ユーザＵ０毎に画像データＳ１を分類し、さらに画像データＳ１のタグ情報に記述された撮影日時情報に基づいて、撮影日時が古い順に画像データＳ１をソートしてデータベースＤＢ１を生成する。
【００３９】
画像保管サーバ４の制御部４４は、端末装置６からアクセスがあると、被写体ユーザＵ０が端末装置６に入力したユーザＩＤに基づいてデータベースＤＢ１を検索して、そのユーザＩＤに分類された画像データＳ１の閲覧をアクセスした端末装置６に許可する。被写体ユーザＵ０は端末装置６を操作して、画像データＳ１のダウンロードや、アルバム作成の依頼、ＣＤ−Ｒ作成の依頼およびプリント注文を画像保管サーバ４に対して行う。
【００４０】
図８は無線タグ３０の構成を示す概略ブロック図である。図８に示すように、無線タグ３０は、無線タグ３０を所持する被写体ユーザＵ０を特定するユーザＩＤ等を記憶するメモリ３１と、問い合わせ信号の受信およびユーザＩＤを含む返信情報を表す返信信号や撮影指示信号の送信を行う通信部３２と、マニュアル撮影を行う場合に撮影指示を行う撮影ボタン３３と、無線タグ３０の駆動を制御する制御部３４とを備え、被写体ユーザＵ０が所持しやすいようにカード状に形成されてなるものである。ここで、撮影ボタン３３が押下されると、撮影指示を行うための撮影指示信号が通信部３２から通信デバイス１３に送信される。
【００４１】
なお、無線タグ３０の具体例としては電池内蔵で交信距離が数メートル以上の長距離型ＲＦＩＤタグが考えられる。また、無線タグ３０は、撮影システム１Ａ，１Ｂ，１Ｃでの撮影を望むテーマパークの入場者である被写体ユーザＵ０に配布される。この際、被写体ユーザＵ０の氏名、住所および電話番号等を画像保管サーバ４のユーザデータベースＤＢ２に登録することにより、被写体ユーザＵ０に基づいて被写体ユーザＵ０の氏名を特定することができるため、上述したように撮影時に表示器１５から被写体ユーザＵ０を特定した音声を出力することが可能となる。
【００４２】
次いで、本実施形態において行われる処理について説明する。図９および図１０は撮影システム１Ａ，１Ｂ，１Ｃにおいて撮影時に行われる処理を示すフローチャートである。なお、ここでは撮影システム１Ａにおいて行われる処理について説明する。
【００４３】
撮影デバイス１４の制御部１４Ｄは、ゲート１１Ａ，１１Ｂから常時入場者数を表す情報を受信し（ステップＳ１）、入場者数をしきい値Ｔｈ１と比較してエリア１９内への入場者数がしきい値Ｔｈ１以上であるか否かを判定する（ステップＳ２）。ステップＳ２が肯定された場合には、マニュアル撮影モードに撮影部１４Ａを切り替え（ステップＳ３）、ステップＳ５に進む。なお、ステップＳ２が肯定された場合に、上述したように、マニュアル撮影モードや被写体ユーザＵ０に呼びかけて撮影を行う撮影モード等に撮影モードを切り替えてもよい。
【００４４】
ステップＳ２が肯定されると、制御部１４Ｄは撮影部１４Ａの撮影モードを自動撮影モードに切り替える（ステップＳ４）。続いて、制御部１４Ｄは、広域センサ１２から返信信号を受信した旨を表す信号が送信されたか否かの監視を開始し（ステップＳ５）、ステップＳ５が肯定されると、撮影部１４Ａを直ちに撮影を行うことが可能な待機状態に設定する（ステップＳ６）。
【００４５】
次いで、図１０に進み、制御部１４Ｄは、通信デバイス１３に常時問い合わせ信号を発信させ（ステップＳ７）、さらに通信デバイス１３が撮影エリア５Ａ内に存在する被写体ユーザＵ０の無線タグ３０から問い合わせ信号に対する返信信号を受信したか否かを監視を開始する（ステップＳ８）。ステップＳ８が肯定されると、人物センサ１６Ａ，１６Ｂにより撮影エリア５Ａ内の被写体ユーザＵ０を検出し（ステップＳ９）、被写体ユーザＵ０を捕捉するように撮影部１４Ａのパンおよびチルトを行う（ステップＳ１０）。
【００４６】
そして、制御部１４Ｄは撮影部１４Ａが被写体ユーザＵ０を捕捉したか否かを判定し（ステップＳ１１）、ステップＳ１１が否定されるとステップＳ９へ戻る。ステップＳ１１が肯定されると、撮影モードが自動撮影かマニュアル撮影かを判定する（ステップＳ１２）。
【００４７】
撮影モードが自動撮影の場合には、制御部１４Ｄは撮影を行う旨の指示を表示器１５に行い（ステップＳ１３）、表示器１５から出力される撮影指示の音声のタイミングに合わせて撮像部１４Ａが被写体ユーザＵ０の撮影を行って画像データＳ１を取得する（ステップＳ１４）。
【００４８】
一方、撮影モードがマニュアル撮影の場合には、制御部１４Ｄは被写体ユーザＵ０に無線タグ３０の撮影ボタン３３を押下させる指示を表示器１５に行う（ステップＳ１５）。そして、制御部１４Ｄは、被写体ユーザＵ０が撮影ボタン３３を押下することにより無線タグ３０が送信した撮影指示信号を通信デバイス１３が受信したか否かの監視を開始し（ステップＳ１６）、ステップＳ１６が肯定されるとステップＳ１４に進み、撮影部１４Ａが撮影を行って画像データＳ１を取得する。
【００４９】
そして制御部１４Ｄは通信部１４Ｇを介して画像データＳ１および無線タグ３０が送信した返信信号により表される返信情報を画像保管サーバ４に送信し（ステップＳ１７）、処理を終了する。
【００５０】
画像保管サーバ４においては、管理部４３が撮影システム１Ａ，１Ｂ，１Ｃから送信された画像データＳ１のタグ情報からデータベースＤＢ１を生成する。
【００５１】
そして、被写体ユーザＵ０が後日端末装置６から画像保管サーバ４にアクセスし、ユーザＩＤを画像保管サーバ４に送信すると、制御部４４がユーザＩＤをキーとしてメモリ４２に保管されたデータベースＤＢ１を検索し、そのユーザＩＤに分類された画像データＳ１を端末装置６に表示する。具体的には、例えば図１１に示すようにファイル名順にソートされた画像データＳ１のサムネイル画像の一覧を端末装置６に表示する。なお、サムネイル画像の一覧には、ファイル名、撮影日時および撮影エリア名も含まれる。
【００５２】
被写体ユーザＵ０はサムネイル画像の一覧からプリント注文やＣＤ−Ｒへの記録等の注文を行うサムネイル画像を選択し、注文の指示を画像保管サーバ４に対して行う。また、所望とする画像データＳ１をダウンロードして自身でアルバムを作成することも可能である。
【００５３】
なお、画像保管サーバ４に注文を行った場合には、画像保管サーバ４は注文のあった画像データＳ１をラボ８に送信する。ラボ８は注文に応じて画像データＳ１のプリント出力やＣＤ−Ｒへの記録を行う。
【００５４】
このように、本実施形態においては、制御部１４Ｄが広域センサ１２が無線タグ３０から送信される返信信号を受信することによりエリア１９内において無線タグ３０を所持した被写体ユーザＵ０を検出すると、撮影部１４Ａを撮影可能な待機状態に設定しているため、通信デバイス１３が被写体ユーザＵ０を検出すると、直ちに撮影部１４Ａは撮影を行うことができる。このため、被写体ユーザＵ０が撮影エリア内に突然侵入しても撮影が間に合わなくなることがなくなる。また、撮影デバイス１４の制御部１４Ｄがゲート１１Ａ，１１Ｂから送信されたエリア１９内への入場者数に応じて撮影部１４Ａの撮影動作を制御するため、撮影エリア５Ａ内に存在する可能性が高い人物数に応じて適切に撮影を行うことができる。
【００５５】
ここで、上記実施形態においては、撮影エリア５Ａ，５Ｂ，５Ｃ内に無線タグ３０を所持する被写体ユーザＵ０が複数存在する場合には、撮影モードをマニュアル撮影モードや呼びかけてから撮影を行う撮影モードに切り替えているが、この際、撮影エリア５Ａ，５Ｂ，５Ｃに侵入した時間が早くかつ予め定められた所定時間以上撮影エリア５Ａ，５Ｂ，５Ｃ内に存在する被写体ユーザＵ０から先に撮影を行えばよい。撮影エリア５Ａ，５Ｂ，５Ｃに侵入した被写体ユーザＵ０は、通信デバイス１３が受信した返信信号により表される返信情報に含まれるユーザＩＤにより特定することができ、その被写体ユーザＵ０からの返信信号を受信した時間を例えば第２のメモリ１４Ｅに記憶しておくことにより、被写体ユーザＵ０が撮影エリア５Ａ，５Ｂ，５Ｃへ侵入した順序を特定できる。また、被写体ユーザＵ０の撮影エリア５Ａ，５Ｂ，５Ｃ内に所定時間いるか否かは、通信デバイス１３が最初に返信信号を受信してからの返信信号を受信し続けている時間を計測することにより判定すればよい。
【００５６】
なお、撮影時においては、ユーザデータベースＤＢ２を参照してユーザＩＤに基づいてユーザの氏名を表す情報を取得し、表示器１５から呼びかける被写体ユーザＵ０の氏名を特定することにより、被写体ユーザＵ０は自身が撮影される旨を知ることができる。
【００５７】
なお、複数の被写体ユーザＵ０が同時に撮影エリア５Ａ，５Ｂ，５Ｃ内に侵入し、同時に所定時間以上撮影エリア５Ａ，５Ｂ，５Ｃ内に存在する場合には、複数の被写体ユーザＵ０は家族や仲間であるとみなして、同時に撮影を行うようにしてもよい。
【００５８】
一方、図１２に示すように、エリア１９内に２つの撮影エリア５Ａ，５Ａ′を設け、撮影エリア５Ａ内に存在する無線タグ３０を所持する被写体ユーザＵ０と通信を行う通信デバイス１３と、撮影エリア５Ａ′内に存在する無線タグ３０を所持する被写体ユーザＵ０と通信を行う通信デバイス１３′と、撮影エリア５Ａの撮影を行う撮影デバイス１４と、撮影エリア５Ａ′の撮影を行う撮影デバイス１４′とを設けることにより、エリア１９内の被写体ユーザＵ０の移動を追跡することができるため、被写体ユーザＵ０をより容易に撮影することができる。
【００５９】
図１３は、ある被写体ユーザＵ０（ユーザＵ１とする）が所持する無線タグ３０から送信される返信信号の広域センサ１２および通信デバイス１３，１３′における受信の状態を時間の経過とともに示す図である。なお、図１３においてＯＦＦは返信信号を受信していない状態を、ＯＮは返信信号を受信している状態を示す。また、縦方向のｔは矢印方向に時間が経過することを示す。広域センサ１２および通信デバイス１３，１３′が全てＯＦＦの場合には、ユーザＵ１はどこにいるのかは分からない。広域センサ１２のみがＯＮとなると、ユーザＵ１はエリア１９内の撮影エリア５Ａ，５Ａ′以外のエリアに侵入したことが分かる。さらに、広域センサ１２および通信デバイス１３がＯＮとなり、通信デバイス１３′がＯＦＦの場合には、ユーザＵ１は撮影エリア５Ａに侵入したことが分かる。次いで、広域センサ１２および通信デバイス１３，１３′の全てがＯＮとなると、ユーザＵ１は撮影エリア５Ａと撮影エリア５Ａ′とが重なるエリアに侵入したことが分かる。さらに、広域センサ１２および通信デバイス１３′がＯＮとなり、通信デバイス１３がＯＦＦの場合には、ユーザＵ１は撮影エリア５Ａに′侵入したことが分かる。
【００６０】
このように、ユーザＵ１すなわち特定の被写体ユーザＵ０の移動を追跡することにより、いずれの撮影デバイス１４，１４′によりその被写体ユーザＵ０を撮影すべきかを容易に判定することができるため、被写体ユーザＵ０をより容易に撮影することができる。
【００６１】
なお、図１２に示すように２台の撮影デバイス１４，１４′を用いる場合には、被写体ユーザＵ０の移動の追跡はいずれか一方の撮影デバイス１４の制御部１４Ｄが行えばよい。
【００６２】
また、図１４に示すように上記実施形態における広域センサ１２を省略し、ゲート１１Ａ，１１Ｂのみを用いて撮影エリア５Ａへの入場者数をカウントしてもよい。この場合、制御部１４Ｄは、撮影部１４Ａを常時待機状態に設定しておき、撮影エリア５Ａへの入場者数に応じて撮影モードを切り替える。
【図面の簡単な説明】
【図１】本発明の実施形態による撮影システムを備えた画像管理システムの構成を示す概略ブロック図
【図２】撮影システムの構成を示す概略斜視図
【図３】広域センサの構成を示す概略ブロック図
【図４】通信デバイスの構成を示す概略ブロック図
【図５】撮影デバイスの構成を示す概略ブロック図
【図６】表示器の構成を示す概略ブロック図
【図７】画像保管サーバの構成を示す概略ブロック図
【図８】無線タグの構成を示す概略ブロック図
【図９】撮影システムにおいて撮影時に行われる処理を示すフローチャート（その１）
【図１０】撮影システムにおいて撮影時に行われる処理を示すフローチャート（その２）
【図１１】サムネイル画像の一覧を示す図
【図１２】本発明の他の実施形態による撮影システムを備えた画像管理システムの構成を示す概略ブロック図
【図１３】ある被写体ユーザが所持する無線タグから送信される返信信号の広域センサおよび通信デバイスにおける受信の状態を示す図
【図１４】本発明のさらに他の実施形態による撮影システムを備えた画像管理システムの構成を示す概略ブロック図
【符号の説明】
１Ａ，１Ｂ，１Ｃ    撮影システム
３    ネットワーク
４    画像保管サーバ
５Ａ，５Ａ′，５Ｂ，５Ｃ    撮影エリア
６    端末装置
８    ラボ
１１Ａ，１１Ｂ    ゲート
１２    広域センサ
１３，１３′    通信デバイス
１４，１４′    撮影デバイス
１５    表示器
１６Ａ，１６Ｂ    人物センサ
【図１】
2004289433.tif 000003
【図２】
2004289433.tif 000004
【図３】
2004289433.tif 000005
【図４】
2004289433.tif 000006
【図５】
2004289433.tif 000007
【図６】
2004289433.tif 000008
【図７】
2004289433.tif 000009
【図８】
2004289433.tif 000010
【図９】
2004289433.tif 000011
【図１０】
2004289433.tif 000012
【図１１】
2004289433.tif 000013
【図１２】
2004289433.tif 000014
【図１３】
2004289433.tif 000015
【図１４】
2004289433.tif 000016